(57)【要約】【課題】パネル同士の固定強度が大きく、相互のパネルに位置決めも容易であり、構造も簡単で連設時の作業性にも優れたパネル連設構造を提供せんとする。【解決手段】第１パネルＡの上枠２の上面に長手方向に延びる凹溝２ｂを設けるとともに、前記第２パネルＢの下枠６の下面に前記凹溝２ｂに嵌合する凸条部６１を設け、前記第２パネルＢの上枠４及び下枠６にそれぞれ形成した互いに連通する通孔４ａ、６０を上方から下方に貫通し、前記第１パネルＡの上枠２に設けた取付部２０に螺合する長尺ボルト９により、前記第１パネルＡの凹溝２ｂに第２パネルＢの凸条部６１が嵌合した状態で両者が固定される。【選択図】図３
2008106521.tif 000002
【特許請求の範囲】
【請求項１】
第１パネルの上側に第２パネルを連設するパネル連設構造において、前記第１パネルの上枠上面に長手方向に延びる凹溝を設けるとともに、前記第２パネルの下枠下面に前記凹溝に嵌合する凸条を設け、前記第２パネルの上枠及び下枠にそれぞれ形成した互いに連通する通孔を上方から下方に貫通し、前記第１パネルの上枠に設けた取付部に螺合する長尺ボルトにより、前記第１パネルの凹溝に前記第２パネルの凸条が嵌合した状態で両者を固定してなることを特徴とするパネル連設構造。
【請求項２】
前記第２パネルの縦枠に上下に貫通する貫通孔を形成するとともに、前記第２パネルの上枠及び下枠の通孔を、それぞれ前記貫通孔に連通する端部位置に形成し、前記長尺ボルトが前記上枠の通孔、前記縦枠の貫通孔、及び下枠の通孔をそれぞれ貫通して前記第１パネルの取付部に螺合する請求項１記載のパネル連設構造。
【請求項３】
前記第２パネルの上枠の前記通孔を有する端部構造を、前記第１パネルの上枠の端部構造と同じく、上壁に切欠き部を有し且つ下壁に縦枠を取り付ける取付部を備えた筒構造とし、前記上枠の筒開口端および前記切欠き部を塞ぐ上部端キャップを、該上枠の端部に取り付けた状態で前記通孔に連通するボルト用穴を有するもの、および有さないものをそれぞれ設け、前記ボルト用穴を有する上部端キャップを、第１パネルの上枠端部に取り付け、前記ボルト用穴を有さない上部端キャップを、第２パネルの上枠端部に取り付けてなる請求項１又は２記載のパネル連設構造。
【請求項４】
前記第１パネルの側端に接続される第１支柱の上端側に、前記第２パネルの側端に接続される第２支柱を連設してなり、前記第２支柱の断面構造を、前記第１支柱の断面構造と同じく、上キャップ下面側に形成された突起が係合する複数の係合孔を備えた構造とし、前記上端部を塞ぐ上キャップを、上面側に前記第２支柱の下端部に係合する突起を下面側の突起と対称の位置に有するもの、および上面側に突起を有さないものをそれぞれ設け、前記上面側の突起を有する上キャップを、前記第１支柱の上端部に取り付け、前記上面側の突起を有さない上キャップを、前記第２支柱の上端部に取り付けてなる請求項１〜３の何れか１項に記載のパネル連設構造。
【請求項５】
前記取付部が、前記第１パネルの上枠に前記長尺ボルトが螺合する螺孔を有する固定金具を取り付けてなる請求項１〜４の何れか１項に記載のパネル連設構造。
【発明の詳細な説明】
【技術分野】
【０００１】
本発明は、第１パネルの上側に第２パネルを連設するパネル連設構造に関する。
【背景技術】
【０００２】
この種のパネル連設構造としては、従来、パネル本体と、該パネル本体の上方に連設される補助パネルとを具備してなるパネルにおいて、パネル本体側の笠木の凹部を利用して補助パネルを積み重ね、補助パネルの左右の柱の下面には、垂直軸回りに回転可能で軸方向移動不能なつまみと、つまみと連結して同軸で一体回転するボルトを配設するとともに、パネル本体の左右の柱の上面にはネジ孔を配設して、使用者がつまみを回転することによりボルトが回転してネジ孔に螺合して補助パネルをパネル本体に固定する構造が提案されている（例えば、特許文献１参照。）。
【０００３】
また、上下パネルの連設構造において、下向コの字形をなす上側パネルの縦フレームの下端部に設けた下向突起を、下方にあるパネルの側部開口部に上方から嵌合することにより、下方のパネルに連結され、上パネルの縦フレームの内側と下パネル上面とは、Ｌ字形金具で連結され、横方向に隣接するパネル同士は上枠とコーナー支柱に連結金具をビス止めして連結する構造が提案されている（例えば、特許文献２参照。）。ここでは、コーナー支柱同士をスナップ係合する連結具として、下方のコーナー支柱の上端部および上方の開口部の一部に嵌合する同一形状をなす１対のキャップ状連結具を用い、各連結具の一方の面を、反転時に互いに嵌合自在な形状に成形とし、かつ他方の支柱に嵌合する面に、支柱にスナップ係合する手段を設けたものが提案されている。
【０００４】
しかしながら、上記特許文献１の連設構造は、補助パネルの縦枠の下端に設けたボルトでパネル本体の縦枠上面に螺合して固定する構造であり、固定強度が十分でない。特許文献２のように、上パネルの縦フレーム下端部の下向突起を下パネルに嵌合させた上で、さらにＬ字形金具で連結すれば強度を向上させることができるが、下向突起を嵌入させる開口部を予め設ける必要があり、コーナー支柱の連結構造も非常に複雑である。また、パネル連設時にはＬ字形金具を取り付けるためのビス孔の穴あけ加工が必要となり、上パネルの位置決めも非常に困難で、作業性に問題がある。
【０００５】
【特許文献１】特許第２８４２２７７号公報
【特許文献２】特開平１１−２２０７０号公報
【発明の開示】
【発明が解決しようとする課題】
【０００６】
そこで、本発明が前述の状況に鑑み、解決しようとするところは、パネル同士の固定強度が大きく、相互のパネルに位置決めも容易であり、構造も簡単で連設時の作業性にも優れたパネル連設構造を提供する点にある。
【課題を解決するための手段】
【０００７】
本発明は、前述の課題解決のために、第１パネルの上側に第２パネルを連設するパネル連設構造において、前記第１パネルの上枠上面に長手方向に延びる凹溝を設けるとともに、前記第２パネルの下枠下面に前記凹溝に嵌合する凸条を設け、前記第２パネルの上枠及び下枠にそれぞれ形成した互いに連通する通孔を上方から下方に貫通し、前記第１パネルの上枠に設けた取付部に螺合する長尺ボルトにより、前記第１パネルの凹溝に前記第２パネルの凸条が嵌合した状態で両者を固定してなることを特徴とするパネル連設構造を構成した。
【０００８】
ここで、前記第２パネルの縦枠に上下に貫通する貫通孔を形成するとともに、前記第２パネルの上枠及び下枠の通孔を、それぞれ前記貫通孔に連通する端部位置に形成し、前記長尺ボルトが前記上枠の通孔、前記縦枠の貫通孔、及び下枠の通孔をそれぞれ貫通して前記第１パネルの取付部に螺合する構造が好ましい。
【０００９】
また、前記第２パネルの上枠の前記通孔を有する端部構造を、前記第１パネルの上枠の端部構造と同じく、上壁に切欠き部を有し且つ下壁に縦枠を取り付ける取付部を備えた筒構造とし、前記上枠の筒開口端および前記切欠き部を塞ぐ上部端キャップを、該上枠の端部に取り付けた状態で前記通孔に連通するボルト用穴を有するもの、および有さないものをそれぞれ設け、前記ボルト用穴を有する上部端キャップを、第１パネルの上枠端部に取り付け、前記ボルト用穴を有さない上部端キャップを、第２パネルの上枠端部に取り付けてなる構造が好ましい。
【００１０】
さらに、前記第１パネルの側端に接続される第１支柱の上端側に、前記第２パネルの側端に接続される第２支柱を連設してなり、前記第２支柱の断面構造を、前記第１支柱の断面構造と同じく、上キャップ下面側に形成された突起が係合する複数の係合孔を備えた構造とし、前記上端部を塞ぐ上キャップを、上面側に前記第２支柱の下端部に係合する突起を下面側の突起と対称の位置に有するもの、および上面側に突起を有さないものをそれぞれ設け、前記上面側の突起を有する上キャップを、前記第１支柱の上端部に取り付け、前記上面側の突起を有さない上キャップを、前記第２支柱の上端部に取り付けてなる構造が好ましい。
【００１１】
また、前記取付部が、前記第１パネルの上枠に前記長尺ボルトが螺合する螺孔を有する固定金具を取り付けてなる構造が好ましい。
【発明の効果】
【００１２】
以上にしてなる本願発明に係るパネル連設構造は、第１パネルの凹溝に前記第２パネルの凸条が嵌合した状態で両者を固定するので、連設作業時の位置決めも容易であり、取付後の強度も向上する。とくに、第２パネルの上枠及び下枠にそれぞれ形成した互いに連通する通孔を上方から下方に貫通し、第１パネルの上枠に設けた取付部に螺合する長尺ボルトにより、第１パネルの凹溝に前記第２パネルの凸条が嵌合した状態で両者を固定しているので、複雑なボルト取付構造を採用することなく、長尺ボルトによって連結状態が安定し、固定強度が著しく向上するとともに、長尺ボルトは第２のパネルの上方から容易に取付け作業を行うことができ、作業性も向上する。
【００１３】
また、長尺ボルトが前記上枠の通孔、前記縦枠の貫通孔、及び下枠の通孔をそれぞれ貫通して前記第１パネルの取付部に螺合する構造としたので、縦枠を貫通する長尺ボルトによって固定強度がより向上するとともに、第２のパネルの枠体自体の強度も向上させることができる。
【００１４】
また、第２パネルの上枠の端部構造を、第１パネルの上枠の端部構造と同じ構造とし、上枠の筒開口端および切欠き部を塞ぐ上部端キャップを、該上枠の端部に取り付けた状態で通孔に連通するボルト用穴を有するもの、および有さないものをそれぞれ設け、前記ボルト用穴を有する上部端キャップを、第１パネルの上枠端部に取り付け、前記ボルト用穴を有さない上部端キャップを、第２パネルの上枠端部に取り付けてなる構造としたので、パネル連設時には、とくに穴あけ加工などをすることなく上部端キャップを取り替えるだけで容易に作業を行うことができ、第１のパネルから取り外した上部端キャップをそのまま第２のパネルのキャップとして用いることができる。
【００１５】
また、第２支柱の断面構造を、前記第１支柱の断面構造と同じ構造とし、上端部を塞ぐ上キャップを、上面側に前記第２支柱の下端部に係合する突起を下面側の突起と対称の位置に有するもの、および上面側に突起を有さないものをそれぞれ設け、上面側の突起を有する上キャップを、前記第１支柱の上端部に取り付け、前記上面側の突起を有さない上キャップを、前記第２支柱の上端部に取り付けてなる構造としたので、支柱についてもパネル連設時にとくに加工を要さず、上キャップを取り替えるだけで簡単に連設作業を行うことができ、第１の支柱から取り外した上キャップをそのまま第２の支柱の上キャップとして用いることができる。
【発明を実施するための最良の形態】
【００１６】
次に、本発明の実施形態を添付図面に基づき詳細に説明する。
【００１７】
図１は、本発明に係るパネル連設構造の全体構成を示す図であり、図１〜８は代表的実施形態を示し、図中符号Ａは第１のパネル、Ｂは第２のパネル、２および４は上枠、３および５は縦枠、６は下枠、９は長尺ボルト、２０は取付部をそれぞれ示している。
【００１８】
本発明のパネル連設構造Ｓは、図１に示すように、第１パネルＡの上側に第２パネルＢを連設したパネル連設体１の構造である。具体的には、図３の縦断面図に示すように、第１パネルＡの上枠２の上面に長手方向に延びる凹溝２ｂを設けるとともに、前記第２パネルＢの下枠６の下面に前記凹溝２ｂに嵌合する凸条部６１を設け、前記第２パネルＢの上枠４及び下枠６にそれぞれ形成した互いに連通する通孔４ａ、６０を上方から下方に貫通し、前記第１パネルＡの上枠２に設けた取付部２０に螺合する長尺ボルト９により、前記第１パネルＡの凹溝２ｂに第２パネルＢの凸条部６１が嵌合した状態で両者が固定される構造である。
【００１９】
なお、第１のパネルＡ、第２のパネルＢを構成する各パネル板は、樹脂板やガラス板、金属板、木製板など従来からパネル装置に用いられる種々のパネル板を用いることが可能であり、本実施形態では、第１のパネルＡに木製板材の表面に織布を張設したクロス板を用い、第２のパネルＢにアクリル樹脂やポリカーボネート樹脂からなる透明または半透明の二枚の樹脂板を用いた例について説明する。また、本発明のパネル装置は、机上パネルや間仕切パネル、その他の種々のパネル装置として構成できる。
【００２０】
まず、第１のパネルＡの構造について詳述する。
【００２１】
第１のパネルＡは、上枠２、縦枠３、３および図示しない下枠により矩形枠体が構成され、その内部に上記クロス板からなるパネル板７が装着されて独立したパネル装置が構成されている。そして縦枠３の外方にコーナー支柱１３が接続される。この第１のパネルＡは、第２のパネルＢの連設前、上枠２が笠木として機能し、側端にコーナー支柱１３が接続された独立したパネル装置である。この場合、上枠２の両端には後述する連結用の上部端キャップ１７ではなく、連設時に第２のパネルＢ側に付け替えられる上部端キャップ１６が装着されており、コーナー支柱１３の上端にも、後述する連結用の上キャップ１５ではなく、連設時に第２のパネルＢ側のコーナー支柱１８の上端に付け替えられる上キャップ１４が装着される。上枠２と左右の縦枠３、３は、それぞれ第２のパネルＢの上枠４、縦枠５、５と同じ構造のものが採用される。
【００２２】
縦枠３は、図示しないが後述する縦枠５と同様、パネル板７の側端部に形成される凹溝に嵌合する凸条部が設けられ、外方には連結バー１１が係合する凹溝３０が設けられている。また、上枠２は、図５に示すように、上面側に上述の長手方向に延びる凹溝２ｂが設けられるとともに、下面側にパネル板７上面の凹溝７０に挿着される突片２１、２１が突設され、さらに両端部における上壁側に切欠き部２２を有し且つ下壁側に縦枠３を取り付ける取付ネジ２４、２４を挿通するための通孔２３、２３を備えた筒状のアルミ押し出し材で構成されている。
【００２３】
そして、上枠２の両端部の各通孔２３を下方に貫通する取付ネジ２４を縦枠３の凸条部の上端面に設けられたネジ取付孔に螺合することにより固定される。そして、第２のパネルＢを取り付けるまでは、上枠２の両端部には筒端開口部２５および切欠き部２２を塞ぐ上部端キャップ１７が取り付けられる。ここでは、第２のパネルＢを設けるべく、前記上部端キャップ１６を取り外し、後述する長尺ボルト９の取付部２０として長尺ボルト９に螺合する螺孔２６ａが形成された固定金具２６を、該螺孔２６ａが長尺ボルト９が貫通する通孔２７に連設する位置に取付ネジ２４、２８を用いて取り付け、その上に前記通孔２７に連通するボルト用穴１７ａを有する連結用の上部端キャップ１７を取り付ける。下枠は、図示しないが従来のパネル装置の巾木材と同様の構成を採用できる。
【００２４】
コーナー支柱１３は、断面視方形で縦枠３と略同じ長さのアルミ押し出し材で構成され、各辺の中央部に前記連結バー１１に嵌合する凹溝１３ａがそれぞれ設けられ、断面視略Ｉ字状の長尺な連結バー１１を、互いに対向する縦枠３の外面に設けられた凹溝３０および凹溝１３ａの間に嵌め込むとともに、凹溝３０、１３ａの上端にそれぞれ挿着される係合片１２ａ、１２ａを備えた振れ防止用の挟持部材１２を装着し、前記連結バー１１および挟持部材１２を介して互いに接続される。
【００２５】
コーナー支柱１３の上端面には上キャップ下面側に形成された突起１４ｂ（１５ｂ）が係合する複数の係合孔１３ｂが設けられている。そして、第２のパネルＢのコーナー支柱１８を連設するまでは、この上端面に上キャップ１４が取り付けられる。ここでは、第２のパネルＢのコーナー支柱１８を取り付けるべく、前記上キャップ１４を取り外し、キャップ上面側にも下面側の突起１５ｂと対称の位置に突起１５ａを備えた連結用の上キャップ１５を装着する。この突起１５ａが上側に連設されるコーナー支柱１８の下端面に開口する係合孔１８ｂに係合し、コーナー支柱１８が連結されることになる。なお、横方向へのパネル同士を連結する場合も、縦枠３の凹溝３０、３０間に同様の連結バー１１を介装させて該連結バー１１を介して互いに接続することができる。
【００２６】
次に、第２のパネルＢの構造について詳述する。
【００２７】
第２のパネルＢは、矩形枠体を構成する縦横のフレーム８１、５、６、７の内側にパネル板８、８を取り付け、さらに前記各フレームからなる矩形枠体の外側に、上枠４、縦枠５、５、下枠６を取り付けた独立したパネル装置として構成されている。
【００２８】
第２のパネルＢの縦横のフレーム８１、８２、８２、８３は、それぞれ断面略コ字状のアルミ押し出し材より構成され、左右の縦フレーム８２、８２には、図４に示すように、長手方向に沿って外方に開口する凹溝８２ｂが設けられ、他方、縦枠５，５には、長手方向に沿って内方に突出する凸条部５１が形成され、断面視略Ｔ字状のアルミ押し出し材で構成されている。横フレーム８１の上面には、図３にも示すように、長手方向に沿って外方に開口する凹溝８１ｂが設けられており、他方、上枠４は断面略ロ字状のアルミ押し出し材で構成され、その下面には、前記凹溝８６に係合する突片４５、４５が設けられている。また、横フレーム８３の下面には、長手方向に沿って外方に開口する凹溝８３ｂが設けられており、他方、下枠６は長手方向に沿って内方に突出し、前記凹溝８３ｂに嵌合する凸条部６１が形成されており、断面略Ｔ字状のアルミ押し出し材で構成され、端部開口部には端部カバー１９が装着される。
【００２９】
各フレーム８１、８２、８２、８３の前後両側には、図２、６の断面図にも示すように、長手方向に亘って断面視鉤状の内方折返し片８１ａ、８２ａ、８２ａ、８３ａが突設され、これら内方折返し片に表裏二枚の透明または半透明なパネル板８、８の四辺をそれぞれ係入させることにより、パネル板８、８の四方が各フレームからなる矩形枠体で保持される。とくに、第２のパネルＢの左右の縦フレーム８２は、図４に示すように、前後両側面において内方折返し片８２ａが突設されている位置よりも内側部分に、前後幅が狭くなる段差部８２ｃが設けられ、該段差部８２ｃより内側の側面領域にパネル板８内面との間に隙間が生じ、とくにパネル板８が透明または半透明の場合に当該縦フレーム側面が外部から映りにくくなり、縦フレーム８２の存在感を少なくし、これにより見栄えを向上させている。本例では縦フレーム８２にのみ、このような段差部を設けたが、横フレーム８１、８３の側面にも同様の段差部を設けても勿論よい。
【００３０】
パネルＢの縦横のフレーム８１、８２、８２、８３は、図４に示すように、それぞれ両端部が４５度にカットされ、とくに横フレーム８１（８３）のカット面には、縦フレーム８２の凹溝８２ｂに連通して縦枠５の凸条部５１の上端部（又は下端部）が係入される切欠溝８１ｄが形成されている。そして、縦フレーム８２および横フレーム８１（８３）のカット面同士を当接させ、横フレーム８１（８３）の端部に設けられた通孔８１ｅ（８３ｅ）を貫通する取付ネジ８４（８５）を縦フレーム８２の端部に設けられたネジ取付孔８２ｅに螺合することで、互いに略９０度に固定された矩形枠体が構成される。
【００３１】
そして、前記縦フレーム８２の凹溝８２ｂに対して縦枠５の凸条部５１を挿着させるとともに、横フレーム８１の凹溝８１ｂに上枠４の突片４５、４５を挿着させ、さらに横フレーム８３の凹溝８３ｂに下枠６の凸条部６１を嵌合させて独立したパネル装置である第２のパネルＢが構成されるのである。
【００３２】
縦枠５は、第１のパネルＡの縦枠３と同一構造であり、上下に貫通する貫通孔５０が形成されるとともに、上枠４及び下枠６の通孔４ａ、６０は、それぞれ前記貫通孔５０に連通する端部位置に形成されている。上枠４についても、第１のパネルＡの上枠２と同一構造であり、下面側に突片４５、４５が突設されるとともに、両端部における上壁側に切欠き部４０を有し且つ下壁側に縦枠５を取り付ける取付ネジ４１、４１を挿通するための通孔４２、４２を備えた筒状の部材より構成されており、両端部の各通孔４２を下方に貫通する取付ネジ４１を前記縦枠５の凸条部上端面５１ａに設けられたネジ取付孔５２に螺合することにより、該縦枠５の上端部に固定される。
【００３３】
上枠４の両端部には、第１のパネルＡへの連設前、上記ボルト用穴１７ａを備えた連結用の上部端キャップ１７が仮に装着されており、連設の際には、該キャップ１７を取り外して第１のパネルＡの上枠２に取り付け、長尺ボルト９を通孔４ａ、縦枠５の貫通孔５０、下枠６の通孔６０をそれぞれ貫通させて第１パネルＡの取付部２０に螺合させた後、代わりに上枠２から取り外したボルト用穴の無い上部端キャップ１６を第２のパネルＢの上枠４に取り付ける。この上枠４はパネル連設体１の笠木として機能する。
【００３４】
また、第１のパネルＡのコーナー支柱１３の上端側に、前記第２パネルのコーナー支柱１８が連設される。コーナー支柱１８は上記したコーナー支柱１３と同一構造であり、連設前、キャップ上面側にも下面側の突起１５ｂと対称の位置に突起１５ａを備えた連結用の上キャップ１５が支柱上端に仮に装着されている。連設の際には、該上キャップ１５を取り外して第１のコーナー支柱１３の上端に取り付け、該キャップの突起１５ａを下端面に開口する係合孔１８ｂに係合して連結させた後、代わりにコーナー支柱１３から取り外した上キャップ１４を第２のコーナー支柱１８の上端に装着する。なお、この第２のコーナー支柱１８についても、支柱側の凹溝１８ａ、縦枠側の凹溝５３の間に連結バー１１、挟持部材１２を係合させて縦枠５に連結される。
【００３５】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００３６】
【図１】本発明の実施形態に係るパネル連設構造を示す正面図。
【図２】同じくパネル連設構造の要部を示す縦断面図。
【図３】同じく縦断面図。
【図４】同じくパネル連設構造の要部を示す分解斜視図。
【図５】同じく分解斜視図。
【図６】同じくパネル連設構造の要部を示す正面図。
【図７】同じくパネル連設構造の要部を示す分解斜視図。
【図８】同じくパネル連設構造を示す説明図。
【符号の説明】
【００３７】
Ａ  第１のパネル              Ｂ  第２のパネル
Ｓ  パネル連設構造            １  パネル連設体
２  上枠                      ２ｂ  凹溝
３  縦枠                      ４  上枠
４ａ  通孔                    ５  縦枠
６  下枠                      ７  パネル板
８  パネル板                  ９  長尺ボルト
１１  連結バー                １２  挟持部材
１２ａ  係合片                １３  コーナー支柱
１３ａ  凹溝                  １３ｂ  係合孔
１４  上キャップ              １４ｂ  突起
１５  上キャップ              １５ａ  突起
１５ｂ  突起                  １６  上部端キャップ
１７  キャップ                １７ａ  ボルト用穴
１７  上部端キャップ          １８  コーナー支柱
１８ａ  凹溝                  １８ｂ  係合孔
１９  端部カバー              ２０  取付部
２１  突片                    ２２  切欠き部
２３  通孔                    ２４  取付ネジ
２５  筒端開口部              ２６  固定金具
２６ａ  螺孔                  ２７  通孔
３０  凹溝                    ４０  切欠き部
４１  取付ネジ                ４２  通孔
４５  突片                    ５０  貫通孔
５１  凸条部                  ５１ａ  凸条部上端面
５２  ネジ取付孔              ５３  凹溝
６０  通孔                    ６１  凸条部
７０  凹溝                    ８１ｂ  凹溝
８１  横フレーム              ８１ａ  内方折返し片
８１ｄ  切欠溝                ８１ｅ  通孔
８２  縦フレーム              ８２ｅ  ネジ取付孔
８２ｂ  凹溝                  ８２ｃ  段差部
８２ａ  内方折返し片          ８３  横フレーム
８３ｂ  凹溝                  ８４  取付ネジ
８６  凹溝
【図１】
2008106521.tif 000003
【図２】
2008106521.tif 000004
【図３】
2008106521.tif 000005
【図４】
2008106521.tif 000006
【図５】
2008106521.tif 000007
【図６】
2008106521.tif 000008
【図７】
2008106521.tif 000009
【図８】
2008106521.tif 000010